(57)【特許請求の範囲】
【請求項１】
集合玄関に設置されて来訪者を撮像する集合玄関機カメラ及び居住者を呼び出して通話する機能を備えた集合玄関機と、共用部を撮像する共用部カメラと、住戸毎に設置されて前記集合玄関機カメラに加えて前記共用部カメラの撮像映像を表示する親機表示部及び前記集合玄関機からの呼び出しに応答する機能を備えた住戸親機と、これらの機器を制御する制御装置とを有する集合住宅インターホンシステムであって、
前記住戸親機は、前記共用部カメラ或いは集合玄関機カメラにアクセスして撮像映像を取得するためのモニタ操作部を有し、
前記制御装置は、前記モニタ操作部の操作により前記集合玄関機カメラの撮像映像が伝送されていても、前記集合玄関機から呼び出しがなされたら前記集合玄関機カメラが接続されている映像伝送路を切断し、呼出先の前記住戸親機と前記集合玄関機カメラの間の映像伝送路を接続する映像伝送制御部を有し、
前記映像伝送制御部は、前記集合玄関機において居住者を呼出操作するための最初のボタン操作が成されたら、接続されている映像伝送路を切断することを特徴とする集合住宅インターホンシステム。
【請求項２】
前記共用部カメラを複数備えると共に、前記制御装置は前記住戸親機がアクセス可能な前記共用部カメラ及び集玄玄関機カメラを住戸親機毎に定めたアクセス可否テーブルを記憶するアクセス可否テーブル記憶部を有し、
前記映像伝送制御部は、任意の前記住戸親機において前記共用部カメラの何れかが選択されてアクセスされた場合に、アクセス可設定であれば映像伝送路を接続して映像を前記住戸親機に伝送し、アクセス不可設定である場合は映像伝送路を接続しないことを特徴とする請求項１記載の集合住宅インターホンシステム。
【発明の詳細な説明】
【技術分野】
【０００１】
本発明は集合住宅インターホンシステムに関し、詳しくは住戸親機において共用部カメラの映像を確認することができる集合住宅インターホンシステムに関する。
【背景技術】
【０００２】
集合玄関機に来訪者を撮像するためのカメラを設けて、カメラが撮像した映像を居住者が確認できるのに加えて、共用部を撮像する共用部カメラを設けてこの撮像映像も居住者が確認できる集合住宅インターホンシステムがある。例えば、特許文献１の集合住宅インターホンシステムは、複数の住戸親機に対して同時に共用部カメラ或いは集合玄関機カメラの撮像映像を伝送でき、各住戸親機において映像を確認することができた。
【先行技術文献】
【特許文献】
【０００３】
【特許文献１】特開２００７−５３６３２号公報
【発明の概要】
【発明が解決しようとする課題】
【０００４】
しかしながら、上記従来の集合住宅インターホンシステムは、集合玄関機のカメラ撮像映像がモニタされている時に来訪者があると、訪問先の住戸親機だけでなく他の住戸親機でも来訪者が確認できてしまう状況が発生し、プライバシー保護の点から問題があった。
また、規模の大きい集合住宅ではセキュリティの都合上共用部カメラ設置数も多くなるが、個々の居住者の生活エリアはその一部に限られており、個々の居住者にとって関連するエリアの確認ができれば全ての共用部カメラをモニタできなくてもセキュリティ性が低下する事がない。逆に、不謹慎な居住者が居る場合、セキュリティとは関係なく例えば特定の人物の観察に使用する等共用部カメラの悪用が考えられ、この場合はプライバシーの侵害にも成りかねない。
更に、共用部カメラがモニタされることで映像伝送路が塞がっている時に、来訪者が集合玄関機を操作して呼出操作した場合、呼出先の住戸親機に来訪者映像が伝送できなくなるセキュリティ上の問題も発生した。
【０００５】
そこで、本発明はこのような問題点に鑑み、集合玄関機カメラや共用部カメラの撮像映像を個々の住戸からモニタすることができ、高いセキュリティ性を備えた構成であっても、来訪者のプライバシー及び居住者のプライバシーを維持でき、更に集合玄関機から居住者の呼出操作が成されたら、集合玄関機のカメラ撮像映像を確実に伝送することができ、セキュリティの向上とプライバシーの維持の両立を図ることを可能とした集合住宅インターホンシステムを提供することを目的としている。
【課題を解決するための手段】
【０００６】
上記課題を解決する為に、請求項１の発明は、集合玄関に設置されて来訪者を撮像する集合玄関機カメラ及び居住者を呼び出して通話する機能を備えた集合玄関機と、共用部を撮像する共用部カメラと、住戸毎に設置されて集合玄関機カメラに加えて共用部カメラの撮像映像を表示する親機表示部及び集合玄関機からの呼び出しに応答する機能を備えた住戸親機と、これらの機器を制御する制御装置とを有する集合住宅インターホンシステムであって、住戸親機は、共用部カメラ或いは集合玄関機カメラにアクセスして撮像映像を取得するためのモニタ操作部を有し、制御装置は、モニタ操作部の操作により集合玄関機カメラの撮像映像が伝送されていても、集合玄関機から呼び出しがなされたら集合玄関機カメラが接続されている映像伝送路を切断し、呼出先の住戸親機と集合玄関機カメラの間の映像伝送路を接続する映像伝送制御部を有し、映像伝送制御部は、集合玄関機において居住者を呼出操作するための最初のボタン操作が成されたら、接続されている映像伝送路を切断することを特徴とする。
この構成によれば、集合玄関機カメラに監視カメラの機能を持たせてセキュリティの向上を図り、住戸親機から集合玄関機カメラがアクセスされていても、来訪者により呼出操作された場合にはモニタ機能は終了する。よって、来訪者に対するプライバシー保護とセキュリティ向上を両立させることが可能となる。
【０００７】
また、集合玄関機カメラがモニタされていても、最初のボタン操作を受けて映像が消えるので、来訪者の訪問先居室番号を盗み見ることを防ぐことができ、来訪者に対するプライバシー保護を維持することができる。
【０００８】
請求項２の発明は、請求項１に記載の構成において、共用部カメラを複数備えると共に、制御装置は住戸親機がアクセス可能な共用部カメラ及び集玄玄関機カメラを住戸親機毎に定めたアクセス可否テーブルを記憶するアクセス可否テーブル記憶部を有し、映像伝送制御部は、任意の住戸親機において共用部カメラの何れかが選択されてアクセスされた場合に、アクセス可設定であれば映像伝送路を接続して映像を住戸親機に伝送し、アクセス不可設定である場合は映像伝送路を接続しないことを特徴とする。
この構成によれば、住戸親機毎にアクセス可能なカメラが設定できるので、普段利用することのないエリアを撮像する共用部カメラをモニタできないよう設定すれば、いたずらにモニタ操作が行われて居住者のプライバシーが侵害されるような操作を防止できるし、映像伝送路が絶えず塞がるような事態も防止できる。
【発明の効果】
【０００９】
本発明によれば、集合玄関機カメラに監視カメラの機能を持たせてセキュリティの向上を図り、住戸親機から集合玄関機カメラにアクセスされていても、来訪者により呼出操作された場合にはモニタ機能は終了するし、住戸親機毎にアクセス可能な共用部カメラを制限する。よって、来訪者や居住者に対するプライバシー保護とセキュリティの向上を両立させることができる。
【図面の簡単な説明】
【００１０】
【図１】本発明に係る集住宅インターホンシステムの一例を示す構成図である。
【図２】アクセス可否テーブルの説明図である。
【発明を実施するための形態】
【００１１】
以下、本発明を具体化した実施の形態を、図面に基づいて詳細に説明する。図１は、本発明に係る集合住宅インターホンシステムの構成図と、制御装置の回路ブロック図を示している。図１において、１は集合玄関に設置されて居住者を呼び出すための集合玄関機、２は廊下や駐車場等の共用部を撮像する共用部カメラ、３は各住戸に設置されて来訪者と通話するための住戸親機、４はこれらの機器を制御する制御装置である。
集合玄関機１は、第１集合玄関機１ａ、第２集合玄関機１ｂと２機設置され、共用部カメラ２は第１共用部カメラ２ａ、第２共用部カメラ２ｂ、・・と多数設置されている。また、集合玄関機１及び共用部カメラ２は夫々伝送線Ｌ１，Ｌ２を介して制御装置４に接続され、住戸親機３は親機幹線Ｌ３を介して制御装置４に接続されている。
【００１２】
集合玄関機１は、来訪者が居住者を呼び出すために住戸を選択するためのテンキー等から成る操作部１０、呼出先の居住者と通話するためのマイク１１及びスピーカ１２、来訪者を撮像するためのカメラ（以下、集玄カメラとする）１３、住戸番号等の操作内容を表示するための表示部１４等を備えている。
【００１３】
住戸親機３は、集玄カメラ１３や共用部カメラ２の撮像映像を表示するための表示部３０、モニタするカメラを選択するモニタ操作部３１、呼び出しを受けて集合玄関機１と通話路を形成して来訪者と通話するためのマイク３２及びスピーカ３３、通話操作する通話ボタン３４等を備えている。尚、モニタ操作部３１はタッチパネルで構成され、表示部３０と一体となっている。
【００１４】
制御装置４は、集合玄関機１と通信するインターフェース（集玄ＩＦ）４２、共用部カメラ２から伝送された映像信号を受信するインターフェース（カメラＩＦ）４３、住戸親機３と通信するインターフェース（住戸ＩＦ）４４、各インターフェース間の音声信号を処理する音声回路４５、各インターフェース間の映像信号を処理する映像回路４６、制御装置全体を制御するＣＰＵ４７を備えた制御部４８等を備えている。そして、制御部４８には後述するアクセス可否テーブルを記憶するアクセス可否テーブル記憶部４９が備えられている。
尚、集玄ＩＦ４２は、集合玄関機１毎のインターフェースを有し、第１集玄ＩＦ４２ａ、第２集玄ＩＦ４２ｂを備えている。カメラＩＦ４３は、接続される共用部カメラ２に対応した数のインターフェースを有し、第１カメラＩＦ４３ａ、第２カメラＩＦ４３ｂ，・・を備えている。また、住戸ＩＦ４４は、１つのインターフェースが所定数のグループの住戸親機３に対応するよう構成されており、住戸親機３のグループ数に合わせて第１住戸ＩＦ４４ａ，第２住戸ＩＦ４４ｂ，・・と設けられている。
【００１５】
このように構成された集合住宅インターホンシステムについて、以下、動作を説明する。尚、集合玄関機１からの呼出操作、住戸親機３によるその応答操作等の動作については従来と同様であるので説明を省略し、ここでは任意の住戸親機３で共用部カメラ２の映像をモニタ中における他の住戸親機３でのモニタ動作、任意の住戸親機３で集玄カメラ１３の映像をモニタ中に集合玄関機１が呼出操作された場合の動作、映像伝送路が塞がっている場合に集合玄関機１が呼出操作された場合の動作について説明する。尚、ここでは、システム内の映像伝送路は２系統設けられているとする。
【００１６】
初期設定として、制御装置４のアクセス可否テーブル記憶部４９に、個々の住戸親機３に対して共用部カメラ２単位、集合玄関機１単位のアクセス可否設定が成される。この設定は、例えばパーソナルコンピュータを制御装置４に接続することで行われる。
ここでは、例として図２に示すように設定が行われたとする。具体的に説明すると、例えば住戸番号「１０１」の住戸親機３は、第１及び第２共用部カメラ２ａ，２ｂにはアクセスできるが、それ以外の共用部カメラ２にはアクセスできない。また第１集合玄関機１ａの集玄カメラ１３、及び第２集合玄関機１ｂの集玄カメラ１３にはアクセスできるが、それ以外の集玄カメラ１３にはアクセスできないよう設定されている。
【００１７】
この設定状態において、いま住戸番号「１０１」の住戸親機３から、モニタ操作部３１により第２共用部カメラ２ｂで撮像された映像を取得するアクセス操作が成されると、制御装置４は住戸ＩＦ４４を介してＣＰＵ４７が共用部カメラ映像取得のデータ信号を受けとる。ＣＰＵ４７は、アクセス可否テーブル記憶部４９を参照して、住戸番号「１０１」の住戸親機３は第２共用部カメラ２ｂへのアクセスが可であることを把握し、住戸ＩＦ４４を介し住戸番号「１０１」の住戸親機３へモニタ可とするデータ信号を送信する。合わせて、映像伝送路を接続して第２共用部カメラ２ｂの撮像映像を送信する。このデータ信号を受け取った住戸番号「１０１」の住戸親機３は、映像信号を取得し、伝送された映像を表示部３０に表示する。
【００１８】
また、住戸番号「１０１」の住戸親機３により、第３共用部カメラ２ｃで撮像された映像を取得する選択操作が成されると、制御装置４は住戸ＩＦ４４を介してＣＰＵ４７が共用部カメラ映像取得のデータ信号を受けとる。ＣＰＵ４７は、アクセス可否テーブル記憶部４９を参照して第３共用部カメラ２ｃへのアクセスが否と判断し、住戸ＩＦ４４を介し住戸番号「１０１」の住戸親機３へモニタ否とするデータ信号を送信する。データ信号を受け取った住戸親機３はエラー音やエラー表示などを出力する。
【００１９】
尚、ここでは、アクセス可否設定の内容に関わらず、居室親機３のモニタ操作部３１は、全ての集玄カメラ１３及び共用部カメラ２を選択するためのボタンを備えた場合を説明しているが、各住戸親機３は、アクセス可否テーブルでアクセス否と設定された共用部カメラ２の情報を予め制御装置４から受け取り、アクセスできない共用部カメラ２への映像取得操作自体を不能とし、モニタ可能な集玄カメラ１３及び共用部カメラ２のみのモニタボタンをタッチパネル表示する等し、モニタ操作部３１の操作性を向上させると良い。
【００２０】
集玄カメラ１３がモニタ操作された場合は、次のように動作する。任意の住戸親機３において、モニタ操作部３１の操作により、例えば第１集合玄関機１ａの集玄カメラ１３で撮像された映像を取得する操作が成されると、制御装置４は住戸ＩＦ４４を介してＣＰＵ４７が集玄カメラ映像取得のデータ信号を受けとる。ＣＰＵ４７は、アクセス可否テーブル記憶部４９を参照して、データ信号送信元の住戸親機３は第１集合玄関機１ａの集玄カメラ１３へのアクセスが可であることを把握すると、住戸ＩＦ４４を介してデータ信号送信元の住戸親機３へモニタ可とするデータ信号を送信する。合わせて、映像伝送路を接続して第１集合玄関機１ａの集玄カメラ１３の撮像映像を送信する。このデータ信号を受け取った住戸親機３は、映像信号を取得し、伝送された映像を表示部３０に表示する。
【００２１】
更に、この状態で、即ち第１集合玄関機１ａの集玄カメラ１３の映像伝送路が形成されている状態で、別の住戸親機３により共用部カメラ２あるいは第２集合玄関機１ｂの集合玄関カメラ１３で撮像された映像を取得する操作が成されたら、制御装置４のＣＰＵ４７がアクセス可否テーブル記憶部４９を参照してモニタ可否が判断され、上述した処理と同様の処理が行われる。但し、２本の映像伝送路が使用状態にある場合は、第１集合玄関機１ａの集玄カメラ１３へのアクセスはできるが、映像伝送路が接続されていない他の第２集合玄関機１ｂの集玄カメラ１３や共用部カメラ２へのアクセスは拒否される。
【００２２】
また、集玄カメラ１３がモニタされている状態で、来訪者により居住者の呼出操作が成されたら次のように動作する。
集合玄関機１の前に立った来訪者により、まず訪問先の住戸番号が入力される。例えば、住戸番号「３０１」が訪問先である場合、この番号が入力されるが、最初の「３」の入力を受けて、集合玄関機１から制御装置４に呼出操作が開始されたことを通知するデータ信号が送信される。このデータ信号を受けた制御装置４は、ＣＰＵ４７が現在集玄カメラ１３の映像を伝送している映像伝送路を切断する。合わせて、集玄カメラ１３にアクセスしてモニタしていた住戸親機３に対して、来訪者が集合玄関機１の操作を始めたことを通知するデータ信号を送信する。
【００２３】
この制御により、集玄カメラ１３にアクセスしていた住戸親機３の表示部３０は、映像が消えた後、来訪者が使用中である旨を通知するメッセージが表示される。尚、この映像伝送路切断の後、集合玄関機１での呼出操作が完了したら、呼出信号が選択された住戸親機３に送出されると共に、映像伝送路が形成されて集玄カメラ１３の撮像映像が呼出先の住戸親機３に伝送される。
【００２４】
更に、来訪者が集合玄関機１を操作する際に、２系統の映像伝送路が使用中で塞がっている場合は以下のように動作する。例えば、複数の住戸親機３から異なる共用部カメラ２がアクセスされている場合は、２本の映像伝送路が塞がった状態となる。この時、集合玄関機１が操作されて居住者の呼び出しが成されると、制御装置４は予め決められた一方の映像伝送路を遮断し、集合玄関機１と呼出先の住戸親機３との間で新たな映像伝送路を接続する。
一方、映像伝送路が切断されて映像の表示が消えた住戸親機３に対して、集合玄関機１の操作により映像伝送ができなくなった旨を通知するデータ信号が、制御装置４から送信される。このデータ信号を受信した住戸親機３は、映像の表示に変わり映像伝送路が使用中である旨の表示が成される。
尚、この時の表示されるメッセージ、及び上記来訪者が使用中である旨のメッセージ等は、予め住戸親機３が記憶している。
【００２５】
このように、集玄カメラ１３に監視カメラの機能を持たせてセキュリティの向上を図り、住戸親機３から集玄カメラ１３がアクセスされていても、来訪者により呼出操作された場合にはモニタ機能は終了する。よって、来訪者に対するプライバシー保護とセキュリティ向上を両立させることが可能となる。
また、集玄カメラ１３がモニタされていても、最初のボタン操作を受けて映像が消えるので、来訪者に対するプライバシー保護を維持することができる。
更に、住戸親機３毎にアクセス可能なカメラが設定できるので、普段利用することのないエリアを撮像する共用部カメラ２をモニタできないよう設定すれば、いたずらにモニタ操作が行われて居住者のプライバシーが侵害されるような操作を防止できるし、映像伝送路が絶えず塞がるような事態も防止できる。
【００２６】
尚、上記実施形態は、映像伝送路が２系統の場合を説明したが、１系統しかない場合でも上記制御は適用できるし、３系統以上備えていても適用することができ、セキュリティの向上とプライバシー保護の両立を図ることができる。
また、集合玄関機１はエントランスの数により決定され、１機であっても３機以上であっても良い。
更に、共用部カメラ２が１台のみの場合でも上記構成を適用でき、個々の住戸親機３に対しては、単純に共用部カメラ２へのアクセスの可／不可が設定されることになる。
【符号の説明】
【００２７】
１・・集合玄関機、２・・共用部カメラ、３・・住戸親機、４・・制御装置、１３・・集玄カメラ（集合玄関機カメラ）、３０・・表示部、３１・・モニタ操作部、４２・・集玄ＩＦ、４３・・カメラＩＦ、４４・・住戸ＩＦ、４７・・ＣＰＵ（映像伝送制御部）、４８・・制御部。
【図１】
0005484151.tif 000002
【図２】
0005484151.tif 000003